【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
送信元装置と宛先装置との間で、信号が同時に複数の経路を取ることのできるシステムにおいて最短経路を利用する回路であって、該回路は、
該送信元装置から信号を受信するデータ入力と、
制御入力と、
出力と、
を備える検波器と、
メモリ手段と、
制御可能なスイッチング端子と、
該検波器の出力に接続された第１切り替え端子と、
該メモリ手段の出力に接続された第２切り替え端子と、
を備えるスイッチ手段と、
該検波器の出力のレベルと閾値レベルとを比較する比較手段であって、
該検波器の出力に接続された第１入力と、
閾値レベルを受信するために接続された第２入力と、
該スイッチ手段の該スイッチング端子を制御するために接続された出力と、
を備える、比較手段と、
を備える処理装置と、
該処理装置の該スイッチ手段の該スイッチング端子に接続された入力を備えるローパスフィルタと、
該ローパスフィルタの出力を受信するために接続された入力と、
該検波器の該制御入力に接続された信号出力と、
を有する発振器と、
を備え、それによって、
該検波器の出力が該閾値レベル未満であるレベルを有する場合、該検波器の出力は、該スイッチ手段を介して該ローパスフィルタの該入力に接続され、
該検波器の出力が該閾値レベルを超えるレベルを有する場合、該メモリ手段の出力は、該スイッチ手段を介して該ローパスフィルタの入力に接続される、
回路。
【請求項２】
前記処理装置は、前記スイッチ手段のスイッチング端子と前記ローパスフィルタの入力との間に接続されたスケーラをさらに備える、請求項１記載の回路。
【請求項３】
前記処理装置は、前記検波器の出力と前記第１切り替え端子との間に接続されたスケーラをさらに備える、請求項１記載の回路
【請求項４】
前記処理装置は、
前記比較手段の出力に接続された入力と、
該比較手段の第２入力へ閾値を伝送するために接続された入力と、
を備えた第２ローパスフィルタをさらに備える、請求項１記載の回路。
【請求項５】
送信元装置により宛先装置へ送信された信号を受信する場合において、遅延の変動の影響を減少させる方法であって、
該目的装置内で該送信元装置からデータを受信するステップであって、該データは複数の同時信号経路を取り、第１信号経路は最小伝送時間である対応する伝送時間を有し、他の各信号経路は該最小伝送時間に対して遅延する関連伝送時間を有し、他の各信号経路に関する伝送時間に遅延のばらつきが存在する、ステップと、
閾値遅延以下の遅延を有する信号経路からデータ使用のための選択を行うステップと、を包含する、方法。
【請求項６】
前記データ使用のための選択を行うステップは、
前記受信されたデータの時間を局部クロックと比較することと、
該受信されたデータの時間と該局部クロックによる時間との差に比例する誤差信号を生成することと、
指数的に該誤差信号をスケーリングすることと、
連続した複数の誤差信号の平均を取ることと、
該連続した複数の誤差信号の平均に応答して制御信号を生成することと、
該制御信号に応答して該局部クロックを調整することにより、位相誤差信号を減少させることと、
を包含する、請求項５記載の方法。
【請求項７】
前記データ使用のために選択を行うステップは、遅延が少ないデータを重み付けすることを包含する、請求項５記載の方法。
【請求項８】
前記データ使用のために選択を行うステップは、適応した形態で前記閾値遅延を変動させることを包含する、請求項５記載の方法。
【請求項９】
装置間で信号を伝送するためのネットワークであって、該ネットワークは、
送信元装置と、
複数の信号経路を介して該送信元装置に相互接続された少なくとも１個の宛先装置であって、各宛先装置は、
該送信元装置から信号を受信するためのデータ入力と、
制御入力と、
出力と、
を備える検波器と、
メモリ手段と、
該メモリ手段の入力に接続された制御可能なスイッチング端子と、
該検波器の出力に接続された第１切り替え端子と、
該メモリ手段の出力に接続された第２切り替え端子と、
を備えるスイッチ手段と、
該検波器の出力のレベルと閾値レベルとを比較する比較手段であって、
該検波器の出力に接続された第１入力と、
閾値レベルを受信するために接続された第２入力と、
該スイッチ手段の該スイッチング端子を制御するために接続された出力と、
を備える、比較手段と、
を備える処理装置と、
該処理装置の該スイッチ手段の該スイッチング端子に接続された入力を備えるローパスフィルタと、
該ローパスフィルタの出力を受信するために接続された入力と、
該検波器の該制御入力に接続された信号出力と、
を有する発振器と、
を備える、少なくとも１個の宛先装置と、
を備え、それによって、
該検波器の出力が該閾値レベル未満であるレベルを有する場合、該検波器の出力は、該スイッチ手段を介して該ローパスフィルタの該入力に接続され、
該検波器の出力が該閾値レベルを超えるレベルを有する場合、該メモリ手段の出力は、該スイッチ手段を介して該ローパスフィルタの入力に接続される、
ネットワーク。
【請求項１０】
前記処理装置は、前記スイッチ手段のスイッチング端子と前記ローパスフィルタの入力との間に接続されたスケーラをさらに備える、請求項９記載のネットワーク。
【請求項１１】
前記処理装置は、
前記比較手段の出力に接続された入力と、
閾値を該比較手段の第２入力に送信するために接続された出力と、
を有する第２ローパルフィルタをさらに備える、請求項９記載のネットワーク。
【請求項１２】
ネットワークに相互接続される宛先装置であって、該ネットワークは送信元装置を含み、該宛先装置は、
該送信元装置から信号を受信するデータ入力と、
制御入力と、
出力と、
を備える検波器と、
メモリ手段と、
該メモリ手段の入力に接続された制御可能なスイッチング端子と、
該検波器の出力に接続された第１切り替え端子と、
該メモリ手段の出力に接続された第２切り替え端子と、
を備えるスイッチ手段と、
該検波器の出力のレベルと閾値レベルとを比較する比較手段であって、
該検波器の出力に接続された第１入力と、
閾値レベルを受信するために接続された第２入力と、
該スイッチ手段の該スイッチング端子を制御するために接続された出力と、
を備える、比較手段と、
を備える処理装置と、
該処理装置の該スイッチ手段の該スイッチング端子に接続された入力を備えるローパスフィルタと、
ローパスフィルタの出力を受信するために接続された入力と、
該検波器の該制御入力に接続された信号出力と、
を備える発振器と、
を備え、それによって、
該検波器の出力が該閾値レベル未満であるレベルを有する場合、該検波器の出力は、該スイッチ手段を介して該ローパスフィルタの該入力に接続され、
該検波器の出力が該閾値レベルを超えるレベルを有する場合、該メモリ手段の出力は、該スイッチ手段を介して該ローパスフィルタの入力に接続される、
宛先装置。
【請求項１３】
前記処理装置は、前記スイッチ手段のスイッチング端子と前記ローパスフィルタの入力との間に接続されたスケーラをさらに備える、請求項１２記載の回路。
【請求項１４】
前記処理装置は、
前記比較手段の出力に接続された入力と、
閾値を該比較手段の第２入力に送信するために接続された出力と、
を有する第２ローパルフィルタをさらに備える、請求項１２記載の回路。
【手続補正２】
【補正対象書類名】明細書
【補正対象項目名】０００４
【補正方法】変更
【補正の内容】
【０００４】
シーラス  ロジック社（Ｃｉｒｒｕｓ  Ｌｏｇｉｃ，Ｉｎｃ．）のピークオーディオ部門により開発されたひとつのネットワークに、ＣｏｂｒａＮｅｔ（商標）という名称で市場で売られている音響ネットワークがある。ＣｏｂｒａＮｅｔの技術により、非圧縮、リアルタイム、単一チャネルまたはマルチチャネルディジタルオーディオ、クロッキングおよび制御データが、イーサネット（登録商標）ワーク上を伝送することができる。オーディオ送信元、信号処理、増幅および音声投射は、イーサネット（登録商標）ＣＡＴ−５または光ケーブリングによりすべてが相互接続された施設を介して配信することができる。これにより、個別に処理増幅可能な各入力および各出力により、どのような（単一または多重の）オーディオ信号はどのような（単一または多重の）オーディオ出力への経路も取ることができる。ＣｏｂｒａＮｅｔで使用可能なネットワーク（または同様の環境）上で伝送可能な信号の正確なクロッキングは、ディジタル−アナログ変換器（ＤＡＣ）およびアナログ−ディジタル変換器（ＡＤＣ）の性能を劣化させ得、ステレオ撮像問題を生成し得るジッタにより生じた障害を減少させるために、重要であることを理解されたい。
【手続補正３】
【補正対象書類名】明細書
【補正対象項目名】０００７
【補正方法】変更
【補正の内容】
【０００７】
第２実施形態において、処理装置は、時間の延長部分について”覆われた”状態においてＰＬＬが自由に作動するのを防ぐための自己調節閾値を含む。ＰＬＬが正常に作動する場合、閾値レベルは徐々に増加し、それにより、多くの誤差が無視され、検波器からの最低限の所定の割合の遅延信号だけローパスフィルタへ渡されてＰＬＬをリゲインロック可能にするまで、マスクの幅を減少させる。
【手続補正４】
【補正対象書類名】図面
【補正対象項目名】全図
【補正方法】変更
【補正の内容】
【図１】
2006511107.tif 000001
【図２】
2006511107.tif 000002
【図３】
2006511107.tif 000003
【図４Ａ】
2006511107.tif 000004
【図４Ｂ】
2006511107.tif 000005
【図４Ｃ】
2006511107.tif 000006
【図５】
2006511107.tif 000007
【図６】
2006511107.tif 000008